【事件の表示】
　特願２００５−１９３８９０「光ピックアップ装置における光検出器の受光出力制御装置」拒絶査定不服審判事件〔平成１９年　１月１８日出願公開，特開２００７−　１２２００〕について，次のとおり審決する。
【結　論】
　本件審判の請求は，成り立たない。
【理　由】
第１　手続の経緯
　この出願は，平成１７年７月１日に出願されたものであって，平成２１年１１月２６日付け拒絶の理由に対し，平成２２年２月１日に手続補正がなされたが，平成２３年２月１０日付けで拒絶をすべき旨の査定がなされ，これに対し，同年５月１６日に本件審判の請求がなされると共に，同日付けで手続補正がなされたものである。
　その後，当審において平成２３年１２月２１日付けで前置報告書を用いた審尋がなされたが，これに対する回答はなかった。
　
第２　平成２３年５月１６日付けでした手続補正の却下の決定
　
《補正の却下の決定の結論》
　
　平成２３年５月１６日付けでした手続補正を却下する。
　
《補正の却下の決定の理由》
　
１　本件補正の概要
　平成２３年５月１６日付けでした手続補正（以下，「本件補正」という。）は，発明の名称を「光ピックアップ装置」とすると共に，特許請求の範囲の全文並びに発明の詳細な説明の段落０００１，００１４，００１８，００２１，００２３，００９６及び００９７について補正をしようとするものであるが，そのうち，特許請求の範囲について，本件補正前，
「　【請求項１】
　レーザ光源から出射されるレーザ光を対物レンズに導き，前記対物レンズにより前記レーザ光を収束させてディスクに照射すると共に，前記ディスクにより反射されて戻された前記レーザ光を複数のセグメントにより構成される受光領域を備える光検出器に導く構成の光ピックアップ装置を有し，前記光ピックアップ装置に前記光検出器に接続されるメモリ回路が備えられ，前記光検出器に前記受光領域の各セグメントに対応して各アンプが設けられると共に，各アンプを介して前記光検出器から各セグメントに対応した各受光出力を出力する各出力端子が設けられ，かつ，前記各アンプのゲインを変化させて及び／又は前記各アンプの入力または出力をアッテネータにより減衰させて前記各出力端子から出力される前記各受光出力を設定する出力設定回路を設け，前記受光領域に投影される受光スポットの位置に基づいて前記各出力端子からの前記各受光出力に生じる出力差に応じて前記出力設定回路により前記各出力端子からの前記各受光出力を補正することを特徴とする光ピックアップ装置における光検出器の受光出力制御装置。
　　【請求項２】
　レーザ光源から出射されるレーザ光を対物レンズに導き，前記対物レンズにより前記レーザ光を収束させてディスクに照射すると共に，前記ディスクにより反射されて戻された前記レーザ光を複数のセグメントにより構成される受光領域を備える光検出器に導く構成の光ピックアップ装置を有し，前記光ピックアップ装置に前記光検出器に接続されるメモリ回路が備えられ，前記光検出器に前記受光領域の各セグメントに対応して各アンプが設けられると共に，各アンプを介して前記光検出器から各セグメントに対応した各受光出力を出力する各出力端子が設けられ，かつ，前記各アンプのゲインを変化させて及び／又は前記各アンプの入力または出力をアッテネータにより減衰させて前記各出力端子から出力される前記各受光出力を設定する出力設定回路を設け，前記光ピックアップ装置に前記各出力端子からの前記各受光出力を設定する設定データを前記出力設定回路に供給する制御回路を設けると共に，前記出力設定回路により前記各出力端子からの前記各受光出力を設定する前記設定データを記憶する前記メモリ回路を設け，前記メモリ回路に記憶される前記設定データに基づいて前記各出力端子から出力される前記各受光出力を補正することを特徴とする光ピックアップ装置における光検出器の受光出力制御装置。
　　【請求項３】
　前記制御回路を光検出器を構成する半導体集積回路に設け，前記制御回路によりメモリ回路に記憶される設定データを読み出してこの設定データを光検出器に転送するようにしたことを特徴とする請求項２記載の光ピックアップ装置における光検出器の受光出力制御装置。
　　【請求項４】
　前記制御回路をメモリ回路を構成する半導体集積回路に設け，前記制御回路によりメモリ回路に記憶される設定データを読み出してこの設定データを光検出器に転送するようにしたことを特徴とする請求項２記載の光ピックアップ装置における光検出器の受光出力制御装置。
　　【請求項５】
　ディスクに照射されるレーザ光をディスクの信号層に合焦させるフォーカス制御に非点収差法を採用している光ピックアップ装置において，前記メモリ回路には，光検出器の取付工程後に光検出器の各出力端子から出力される各受光出力を検査する検査工程時に取得される各受光出力に基づいて前記各出力端子から出力される各受光出力を調整する設定データが書き込まれていることを特徴とする請求項２記載の光ピックアップ装置における光検出器の受光出力制御装置。
　　【請求項６】
　前記制御回路は電源電圧が印加される起動時にメモリ回路の設定データを読み出すと共に，その設定データに基づいて出力設定回路を制御し，光検出器の各出力端子から出力される各受光出力を設定することを特徴とする請求項２記載の光ピックアップ装置における光検出器の受光出力制御装置。
　　【請求項７】
　ディスクにより反射されて戻されたレーザ光を互いに直交する２つの分割線により少なくとも４分割される受光領域を備える光検出器に導く構成の光ピックアップ装置において，ディスクに照射されるレーザ光がディスクの信号層に合焦されると判断されるフォーカスエラー信号が発生される状態で，前記受光領域の前記分割線により分割された４つの各セグメントから出力される各受光出力を少なくともトラッキング方向の直交方向に対応する分割線により２分される各領域ごとに加算した各加算信号の値が等しくなるように出力設定回路により光検出器の各出力端子から出力される各受光出力を設定することを特徴とする請求項１又は２記載の光ピックアップ装置における光検出器の受光出力制御装置。
　　【請求項８】
　ディスクにより反射されて戻されたレーザ光を互いに直交する２つの分割線により少なくとも４分割される受光領域を光検出器に備え，ディスクに照射されるレーザ光をディスクの信号層に合焦させるフォーカス制御に非点収差法を採用している光ピックアップ装置において，ディスクに照射するレーザ光の焦点を前後に移動させてその際にトラッキング方向の直交方向に対応する分割線により光検出器の受光領域を２分した各領域ごとに各出力端子から出力される各受光出力を加算した各加算信号の値のピークが等しくなるように出力設定回路により各出力端子から出力される各受光出力を設定することを特徴とする請求項１又は２記載の光ピックアップ装置における光検出器の受光出力制御装置。
　　【請求項９】
　ディスクに照射するレーザ光の焦点を前後に移動させてその際にトラッキング方向に対応する分割線により光検出器の受光領域を２分した各領域ごとに各出力端子から出力される各受光出力を加算した各加算信号の値のピークが等しくなるように出力設定回路により各出力端子から出力される各受光出力を設定することを特徴とする請求項８記載の光ピックアップ装置における光検出器の受光出力制御装置。
　　【請求項１０】
　前記各出力端子からの各受光出力に生じる出力差に応じて出力設定回路により光検出器の各出力端子から出力される各受光出力を設定する際に各受光出力を合算した全光量に対応する総受光出力を略一定に保持するべく前記各出力端子から出力される各受光出力を補正することを特徴とする請求項１又は２記載の光ピックアップ装置における光検出器の受光出力制御装置。」
とあったものを，本件補正により，
「　【請求項１】
　レーザ光源から出射されるレーザ光を対物レンズに導き，前記対物レンズにより前記レーザ光を収束させてディスクに照射すると共に，前記ディスクにより反射されて戻された前記レーザ光を複数のセグメントにより構成される受光領域を備える光検出器に導く構成の
光検出器の受光出力制御装置
，前
光ピックアップ装置であって，ディスクに照射する前記レーザ光の焦点を前後に移動させてその際に前記光検出器の前記各出力端子から出力される前記各受光出力を検査する検査工程時に取得される前記各受光出力に基づいて前記各出力端子から出力される前記各受光出力を調整する設定データが前記メモリ回路に書き込まれる
置。
　　【請求項２】
　レーザ光源から出射されるレーザ光を対物レンズに導き，前記対物レンズにより前記レーザ光を収束させてディスクに照射すると共に，前記ディスクにより反射されて戻された前記レーザ光を複数のセグメントにより構成される受光領域を備える光検出器に導く構成の
光検出器の受光出力制御装置
，前
光ピックアップ装置であって，ディスクに照射する前記レーザ光の焦点を前後に移動させてその際に前記光検出器の前記各出力端子から出力される前記各受光出力を検査する検査工程時に取得される前記各受光出力に基づいて前記各出力端子から出力される前記各受光出力を調整する前記設定データが前記メモリ回路に書き込まれる
置。
　　【請求項３】
　前記制御回路を光検出器を構成する半導体集積回路に設け，前記制御回路によりメモリ回路に記憶される設定データを読み出してこの設定データを光検出器に転送するようにしたことを特徴とする請求項２記載の光ピックアップ装
置。
　　【請求項４】
　前記制御回路をメモリ回路を構成する半導体集積回路に設け，前記制御回路によりメモリ回路に記憶される設定データを読み出してこの設定データを光検出器に転送するようにしたことを特徴とする請求項２記載の光ピックアップ装
置。
　　【請求項５】
　ディスクに照射されるレーザ光をディスクの信号層に合焦させるフォーカス制御に非点収差法を採用している光ピックアップ装置
であっ
置。
　　【請求項６】
　前記制御回路は電源電圧が印加される起動時にメモリ回路の設定データを読み出すと共に，その設定データに基づいて出力設定回路を制御し，光検出器の各出力端子から出力される各受光出力を設定することを特徴とする請求項２記載の光ピックアップ装
置。
　　【請求項７】
　ディスクにより反射されて戻されたレーザ光を互いに直交する２つの分割線により少なくとも４分割される受光領域を備える光検出器に導く構成の光ピックアップ装置
であっ
置。
　　【請求項８】
　ディスクにより反射されて戻されたレーザ光を互いに直交する２つの分割線により少なくとも４分割される受光領域を光検出器に備え，ディスクに照射されるレーザ光をディスクの信号層に合焦させるフォーカス制御に非点収差法を採用している光ピックアップ装置
であっ
置。
　　【請求項９】
　ディスクに照射するレーザ光の焦点を前後に移動させてその際にトラッキング方向に対応する分割線により光検出器の受光領域を２分した各領域ごとに各出力端子から出力される各受光出力を加算した各加算信号の値のピークが等しくなるように出力設定回路により各出力端子から出力される各受光出力を設定することを特徴とする請求項８記載の光ピックアップ装
置。
　　【請求項１０】
　前記各出力端子からの各受光出力に生じる出力差に応じて出力設定回路により光検出器の各出力端子から出力される各受光出力を設定する際に各受光出力を合算した全光量に対応する総受光出力を略一定に保持するべく前記各出力端子から出力される各受光出力を補正することを特徴とする請求項１又は２記載の光ピックアップ装
置。
　　【請求項１１】
　
前記光検出器を光学ハウジングに対して光軸と直交する方向に位置調整して取り付ける取付工程の後に，前記ディスクに照射する前記レーザ光の焦点を前後に移動させてその際に前記光検出器の前記各出力端子から出力される前記各受光出力を検査する検査工程時に取得される前記各受光出力に基づいて前記各出力端子から出力される前記各受光出力を調整する設定データが前記メモリ回路に書き込まれることを特徴とする請求項１〜１０の何れか１項に記載の光ピックアップ装置。
　　【請求項１２】
　
接着剤の特性に応じて加熱処理して残留応力を緩和するためのアニール工程後に，前記ディスクに照射する前記レーザ光の焦点を前後に移動させてその際に前記光検出器の前記各出力端子から出力される前記各受光出力を検査する検査工程時に取得される前記各受光出力に基づいて前記各出力端子から出力される前記各受光出力を調整する設定データが前記メモリ回路に書き込まれることを特徴とする請求項１〜１１の何れか１項に記載の光ピックアップ装置。
としようとするものである。
　なお，本件補正による特許請求の範囲の下線は，請求人が付していたものである。
　
２　補正の目的について
　本件補正は，新たな請求項１１及び請求項１２を記載することで，請求項の数を増加させるものである。
　しかしながら，請求項１１及び請求項１２に記載に対応する技術事項は，本件補正前の特許請求の範囲に記載されていた事項ではなく，しかも，本件補正による請求項１から１０と，本件補正前の請求項１から１０の請求項の引用関係に変化はないから，請求項の引用関係の変更によって請求項の数を増加したものでもない。
　すると，本件補正において，請求項１１及び請求項１２を追加して記載することは，請求項の削除，特許請求の範囲の減縮，誤記の訂正，明瞭でない記載の釈明のいずれにも該当しない。
　よって，本件補正は，平成１８年法律第５５号改正附則第３条第１項の規定によりなお従前の例とされる同法による改正前の特許法第１７条の２第４項各号に掲げる事項を目的とするものではない。
　
３　補正の却下の決定のまとめ
　以上検討したように，本件補正は，平成１８年法律第５５号改正附則第３条第１項の規定によりなお従前の例とされる同法による改正前の特許法第１７条の２第４項各号に掲げる事項を目的とするものではないから，特許法第１５９条第１項で読み替えて準用する同法第５３条第１項の規定により，却下をすべきものである。
　よって，結論のとおり決定する。
　
第３　本願発明
　以上のように，本件補正は決定をもって却下されたから，本願の特許請求の範囲の請求項１に記載された発明（以下，「本願発明」という。）は，以下のとおりのものである。なお，行分けは当審によるものである。
「　【請求項１】
　レーザ光源から出射されるレーザ光を対物レンズに導き，前記対物レンズにより前記レーザ光を収束させてディスクに照射すると共に，前記ディスクにより反射されて戻された前記レーザ光を複数のセグメントにより構成される受光領域を備える光検出器に導く構成の光ピックアップ装置を有し，
　前記光ピックアップ装置に
　　前記光検出器に接続されるメモリ回路が備えられ，
　　前記光検出器に前記受光領域の各セグメントに対応して各アンプが設けられると共に，各アンプを介して前記光検出器から各セグメントに対応した各受光出力を出力する各出力端子が設けられ，
　　かつ，前記各アンプのゲインを変化させて及び／又は前記各アンプの入力または出力をアッテネータにより減衰させて前記各出力端子から出力される前記各受光出力を設定する出力設定回路を設け，
　前記受光領域に投影される受光スポットの位置に基づいて前記各出力端子からの前記各受光出力に生じる出力差に応じて前記出力設定回路により前記各出力端子からの前記各受光出力を補正する
ことを特徴とする光ピックアップ装置における光検出器の受光出力制御装置。」
　
第４　刊行物の記載事項
１　文献１
　この出願前頒布された刊行物であり，原査定の理由で引用された特開２００２−０３２９２４号公報（以下，「文献１」という。）には，図面と共に以下の事項が記載されている。
　(1) 「【０００２】
【従来の技術】ディスク等の信号記録媒体に対して光ビームを用いて光学的に信号の読み取り，あるいは書き込みを行う光学ヘッドにおいては，光ビームの焦点を信号記録媒体の信号面に合焦させるフォーカス制御を行うのに信号記録媒体により反射された光ビームに非点収差を付与し，その光ビームを非点収差の発生方向に応じて方向が設定された十字状の分割線により分割した４分割の受光領域に受光し，その分割された各受光領域における各受光出力のそれぞれ対角線上に配置される各受光領域の各受光レベルをそれぞれ加算した各加算受光レベルの差を検出してフォーカスエラー信号を得ており，このフォーカスエラー信号レベルに応じて対物レンズをフォーカス方向に変位することによりフォーカス制御を行う，いわゆる非点収差法が主流になっている。
【０００３】ところで，非点収差を付与した光ビームが光検出器に受光されて形成される受光スポットには非点収差の影響を受けた非点収差パターンが現れ，その非点収差パターンは信号面に対して光ビームの焦点が前方か後方かにより楕円長径の方向が９０度異なり，信号面に対して光ビームの焦点が一致する合焦点において略真円形となるように設定される。
【０００４】そして，フォーカスエラー信号は，周知の如く，光ビームの焦点と信号面との距離によって電圧レベルが増減すると共に，光ビームの焦点が信号面より前方か後方かにより極性が逆となる，いわゆるＳ字カーブ特性となり，この場合，電圧レベルが「０」の点が光ビームの焦点と信号面との合焦点に設定される。
【０００５】すなわち，光ビームの焦点が信号面に対して合焦状態にあるとき，光検出器上の受光スポットは略真円形に設定され，フォーカスエラー信号の電圧レベルが「０」に設定され，この場合，受光スポットの中心が光検出器の４分割の受光領域を形成するべく十字状に配置される各分割線の交点に一致されるように調整される。
【０００６】
【発明が解決しようとする課題】ところで，光学ヘッドの組立時や経時変化における光検出器や光学素子の位置ズレにより，あるいは光学ヘッドの組立時における光検出器の位置調整精度により光検出器に投影される受光スポットの位置ズレが発生する場合がある。」
　(2) 「【００１３】
【実施例】図１は本発明に係る光学ヘッドのオフセット検出装置及びオフセット補正装置を備える光学ディスク装置のフォーカス制御回路部分を示す回路ブロック図であり，図１に用いられる光学ヘッドはフォーカス制御に非点収差法を採用される。
【００１４】図１を用いて以下に本発明を説明する。
【００１５】光学ヘッドの光検出器１には，ディスクを照射する光ビームのフォーカス誤差に応じて非点収差が付与されたディスクからの反射ビームを受光すると共に，非点収差の発生方向と略４５度の向きで互いに直交する十字状に配置される２本の分割線により４分割された各受光領域ａ，ｂ，ｃ，ｄからはそれぞれ受光される光ビームの受光量に応じて各受光出力Ｓａ，Ｓｂ，Ｓｃ，Ｓｄが発生される。
【００１６】前記各受光出力Ｓａ，Ｓｂ，Ｓｃ，Ｓｄはそれぞれ電流・電圧変換アンプ２，３，４，５により電流信号から電圧信号に変換され，その後，対角線上に配置される各受光領域の各受光出力同士がそれぞれ加算されて第１加算出力（Ｓａ＋Ｓｃ）及び第２加算出力（Ｓｂ＋Ｓｄ）が生成される。
【００１７】前記各加算出力（Ｓａ＋Ｓｃ）及び（Ｓｂ＋Ｓｄ）はそれぞれアンプ６及び７にて増幅された後，フォーカスエラー信号生成回路（ＦＥ信号生成回路）８により（Ｓａ＋Ｓｃ）−（Ｓｂ＋Ｓｄ）の演算が行われ，前記ＦＥ信号生成回路８はディスクの信号面に照射される光ビームの焦点とその信号面との誤差を示すフォーカスエラー信号（ＦＥ信号）を生成する。
【００１８】また，４分割の受光領域ａ，ｂ，ｃ，ｄからの各受光出力Ｓａ，Ｓｂ，Ｓｃ，Ｓｄはそれぞれレベル検出回路９に入力され，そのレベル検出回路９はそれらの各受光出力Ｓａ，Ｓｂ，Ｓｃ，Ｓｄの電圧レベルＶａ，Ｖｂ，Ｖｃ，Ｖｄを検出する。
【００１９】レベル検出回路９により各受光出力の電圧レベルＶａ，Ｖｂ，Ｖｃ，Ｖｄが検出されると，ゲイン調整回路１０はそれらの各電圧レベルの和Ｖ＝Ｖａ＋Ｖｂ＋Ｖｃ＋Ｖｄが予め設定される一定値になると共に，各電圧レベルＶａ，Ｖｂ，Ｖｃ，Ｖｄが等しく（Ｖａ＝Ｖｂ＝Ｖｃ＝Ｖｄ）なるようにアンプ６及び７のゲインを調整して第１加算出力（Ｓａ＋Ｓｃ）及び第２加算出力（Ｓｂ＋Ｓｄ）のレベル調整を行う。
【００２０】次に，４分割の受光領域に対する受光スポットの位置ズレが生じた場合について説明する。
【００２１】例えば，４分割の受光領域に対する受光スポットの位置ズレによるオフセットの発生により，図２（イ）に示す如く，ディスクの信号面に対して光ビームの焦点位置が前方にある状態で，フォーカスエラー信号が「０」となるようになると，図２（ロ）に示す実際の合焦状態において，信号面に対して光ビームの焦点位置が後方にずれていることを示すフォーカスエラー信号が発生し，信号面に対して光ビームの焦点位置が前方にずれた状態にフォーカス制御が行われることになる。
【００２２】ところで，図１に示す回路構成を備える光学ディスク装置は，ディスク再生開始準備時にフォーカスサーボ領域に導入するべく光学ヘッドの対物レンズをフォーカス方向に駆動するフォーカスサーチが行われ，このフォーカスサーチ時にフォーカスエラー信号が「０」となる受光状態を検出し，その受光状態においてレベル検出回路９は４分割の受光領域ａ，ｂ，ｃ，ｄにおける各受光出力の電圧レベルＶａ，Ｖｂ，Ｖｃ，Ｖｄを検出する。
【００２３】その為，レベル検出回路９によりフォーカスエラー信号が「０」となる受光状態における４分割の受光領域ａ，ｂ，ｃ，ｄの各受光出力の電圧レベルＶａ，Ｖｂ，Ｖｃ，Ｖｄが検出されることになり，この受光状態においてゲイン調整回路１０はそれらの各電圧レベルの和Ｖ＝Ｖａ＋Ｖｂ＋Ｖｃ＋Ｖｄが予め設定される一定値とするようにしながら，各電圧レベルＶａ，Ｖｂ，Ｖｃ，Ｖｄが等しく（Ｖａ＝Ｖｂ＝Ｖｃ＝Ｖｄ）なるようにアンプ６及び７のゲインを調整する。
【００２４】この場合，アンプ６はそれぞれ第１加算出力（Ｓａ＋Ｓｃ）を増幅し，アンプ７は第２加算出力（Ｓｂ＋Ｓｄ）を増幅するので，アンプ６のゲイン調整は電圧レベルＶａ及びＶｃの両方を考慮して行われ，アンプ７のゲイン調整は電圧レベルＶｂ及びＶｄの両方を考慮して行われる。
【００２５】このアンプ６及び７のゲイン調整は，４分割の受光領域に対する受光スポットの位置ズレによって受光出力が増減される各受光領域に対応して第１加算出力（Ｓａ＋Ｓｃ）及び第２加算出力（Ｓｂ＋Ｓｄ）が補償されるべく行われる。
【００２６】このアンプ６及び７のゲイン調整によりアンプ６及び７のゲイン調整前においてフォーカスエラー信号が「０」となる状態である図２（イ）に示すディスクの信号面に対して光ビームの焦点位置が前方にある状態においてはその状態に適合する極性及びレベルのフォーカスエラー信号がフォーカスエラー信号生成回路８から発生されるようになり，図２（ロ）に示す実際の合焦状態においてフォーカスエラー信号が「０」となるように補正される。
【００２７】したがって，フォーカスエラー信号生成回路８により生成されるフォーカスエラー信号を用いて，４分割の受光領域に対する受光スポットの位置ズレが生じた場合でもディスクの信号面に正しく光ビームの焦点位置を一致させるべくフォーカス制御が行えるようになる。
【００２８】尚，図１に示す実施例において，４分割の受光領域に対する受光スポットの位置ズレが生じた場合のフォーカスエラー信号の補償は，４分割の受光領域におけるそれぞれ対角線上に配置される各受光領域の各受光出力をそれぞれ加算した後の各加算出力レベルで調整するようにして回路構成の簡潔化を図って達成しているが，これに限らず，加算する前の各受光領域の各受光出力を個別にレベル調整することにより達成しても良いことはもちろんである。
【００２９】
【発明の効果】以上のとおり，本発明に因れば，４分割の受光領域に対する受光スポットの位置ズレに対応するオフセットを検出することが出来る。
【００３０】このオフセット検出をフォーカスサーチ時に行うようにしているので，再生開始時に毎回オフセット検出が行われ，経時変化によって受光スポットの位置ズレが発生する場合に対応できる。
【００３１】また，フォーカスエラー信号が「０」となる受光状態における４分割の受光領域における各受光出力の出力レベルを等しくするべくフォーカスエラー信号に関係する受光レベルのレベル調整を行っているので，４分割の受光領域に対する受光スポットの位置ズレが生じた場合のフォーカスエラー信号の補償が行え，前記受光スポットの位置ズレが生じた場合でも信号記録媒体の信号面に正しく光ビームの焦点位置を一致させるべくフォーカス制御を行えるようにすることが出来る。」
　なお，段落００１７の「それぞれアンプ６及び７に増幅」は「それぞれアンプ６及び７にて増幅」の誤記と認められるから，「それぞれアンプ６及び７にて増幅」と認定した。
　以上の記載及び図面の記載から，文献１には次の発明（以下，「引用発明」という。）が記載されている。
「ディスク等の信号記録媒体に対して光ビームを用いて光学的に信号の読み取り，あるいは書き込みを行う光学ヘッドのオフセット補正装置において，
　前記光学ヘッドは，信号記録媒体により反射された光ビームに非点収差を付与し，その光ビームを非点収差の発生方向に応じて方向が設定された十字状の分割線により分割した４分割の受光領域に受光し，その分割された各受光領域における各受光出力のそれぞれ対角線上に配置される各受光領域の各受光レベルをそれぞれ加算した各加算受光レベルの差を検出してフォーカスエラー信号を得ており，このフォーカスエラー信号レベルに応じて対物レンズをフォーカス方向に変位することによりフォーカス制御を行うものであって，ディスクを照射する光ビームのフォーカス誤差に応じて非点収差が付与されたディスクからの反射ビームを受光すると共に，非点収差の発生方向と略４５度の向きで互いに直交する十字状に配置される２本の分割線により４分割された各受光領域ａ，ｂ，ｃ，ｄからはそれぞれ受光される光ビームの受光量に応じて各受光出力Ｓａ，Ｓｂ，Ｓｃ，Ｓｄが発生される光検出器１を備え，
　前記各受光出力Ｓａ，Ｓｂ，Ｓｃ，Ｓｄから，対角線上に配置される各受光領域の各受光出力同士がそれぞれ加算されて第１加算出力（Ｓａ＋Ｓｃ）及び第２加算出力（Ｓｂ＋Ｓｄ）が生成され，
　前記各加算出力（Ｓａ＋Ｓｃ）及び（Ｓｂ＋Ｓｄ）はそれぞれアンプ６及び７にて増幅された後，フォーカスエラー信号生成回路（ＦＥ信号生成回路）８により（Ｓａ＋Ｓｃ）−（Ｓｂ＋Ｓｄ）の演算が行われ，前記ＦＥ信号生成回路８はディスクの信号面に照射される光ビームの焦点とその信号面との誤差を示すフォーカスエラー信号（ＦＥ信号）を生成し，
　前記各受光出力Ｓａ，Ｓｂ，Ｓｃ，Ｓｄはそれぞれレベル検出回路９に入力され，そのレベル検出回路９はそれらの各受光出力Ｓａ，Ｓｂ，Ｓｃ，Ｓｄの電圧レベルＶａ，Ｖｂ，Ｖｃ，Ｖｄを検出し，レベル検出回路９により各受光出力の電圧レベルＶａ，Ｖｂ，Ｖｃ，Ｖｄが検出されると，ゲイン調整回路１０はそれらの各電圧レベルの和Ｖ＝Ｖａ＋Ｖｂ＋Ｖｃ＋Ｖｄが予め設定される一定値になると共に，各電圧レベルＶａ，Ｖｂ，Ｖｃ，Ｖｄが等しく（Ｖａ＝Ｖｂ＝Ｖｃ＝Ｖｄ）なるようにアンプ６及び７のゲインを調整して第１加算出力（Ｓａ＋Ｓｃ）及び第２加算出力（Ｓｂ＋Ｓｄ）のレベル調整を行い，
　前記アンプ６及び７のゲイン調整により，４分割の受光領域に対する受光スポットの位置ズレによって受光出力が増減される各受光領域に対応して第１加算出力（Ｓａ＋Ｓｃ）及び第２加算出力（Ｓｂ＋Ｓｄ）が補償されるべく，実際の合焦状態において前記フォーカスエラー信号が「０」となるように補正されるようにするものであって，
　各受光領域の各受光出力をそれぞれ加算した後の各加算出力レベルで調整するようにして回路構成の簡潔化を図って達成しているが，これに限らず，加算する前の各受光領域の各受光出力を個別にレベル調整することにより達成しても良い，
　光学ヘッドのオフセット補正装置。」
　
２　文献２
　この出願前頒布された刊行物であり，原査定で引用された特開２００２−０９８３７２号公報（以下，「文献２」という。）には，図面と共に以下の事項が記載されている。
　(1) 「【００３７】上記光源ＬＤ１とＬＤ２，受光部ＰＤ１〜ＰＤ５，受光信号変換部２１′，サーボ信号演算処理部１３等からなる部分は，この発明に係わる主要部に相当し，図２に示した構成例はこの実施形態におけるこの発明の前提となるものを示しており，この発明に係わる主要部の構成と処理については後述する。また，図中の一点鎖線で括ったブロックは集積回路２２であり，その集積回路２２を図１の光ピックアップ１０１に搭載しており，制御部１１はこの集積回路２２内の各部へ制御信号を供給してコントロールする。その際，コントローラ１９から送られる制御コマンドによって各部の制御指令が出される。」
　(2) 「【００４２】より具体的に説明するため，第１受光部ＰＤ１は情報記録媒体からの反射光を，図５に示すような四分割受光素子３５によって受光（受光スポット３６）し，四分割受光素子３５の各分割受光素子（ａ，ｂ，ｃ，ｄ）が受光量に応じて出力する受光電流を電流電圧変換器３７ａ〜３７ｄによってそれぞれ受光信号ＶＡ，ＶＢ，ＶＣ，ＶＤに変換して出力する。ここで，光源の照射光量や情報記録媒体の反射率などによって受光量が大きくばらつくため，各電流電圧変換器３７ａ〜３７ｄのゲイン，つまり電流電圧変換率をゲイン切換信号に従って切換えられるようにしている。この場合，通常は帰還抵抗の抵抗値を切換えることによって切換えることができる。これは記録時と再生時とで切換える程度のものでもよい。」
　
３　文献３
　この出願前頒布された刊行物である特開平５−３３４７０９号公報（以下，「文献３」という。）には，図面と共に以下の事項が記載されている。
　(1) 「【０００４】
【発明が解決しようとする課題】しかしながら，上記従来の光ディスク装置では光学ヘッド部１３の特性にバラツキがあるため，光学ヘッド部１３上又は制御回路１５にバラツキを補正するための調整部が設けられている。この調整部は装置ごとに手動で調整する必要があり，この調整に手間がかかるという問題があった。
【０００５】本発明はこのような従来の問題を解決するものであり，動作時に記憶した動作特性情報に基づいて所定の設定値で動作するように光学ヘッド部及び／又はトラバース機構を自動補正して制御でき，制御回路及び光学ヘッド部における調整箇所を削減できる優れた光ディスク装置の提供を目的とする。」
　(2) 「【００１４】図３は，光学ヘッド部２３の外観構成を示している。図３において，３２は対物レンズでありレーザ光を放射し，反射したレーザ光が通過する。３３はフラットのフレキシブル接続ケーブルであり，各部を接続している。３０はＲＯＭであり光学ヘッド部２３の特性を記憶し，フレキシブル接続ケーブル３３又はプリント回路基板３６に実装している。
【００１５】次に，この実施例の構成における動作について説明する。光学ヘッド部２３は，この光学ヘッド部２３単体の組立，調整段階で搭載しているＲＯＭ３０に固有の特性である検出信号のオフセット及び振幅，レーザー光特性に関する情報を予め記憶し，この情報を制御回路２５が読み出す。この値をもとに制御回路２５では，上記検出信号のオフセット及び振幅，レーザー光特性を補正し，補正した所望の動作特性である設定値で動作するようにアクチュエータを自動制御する。」
　
４　文献４
　この出願前頒布された刊行物である特開平３−１２０６２１号公報（以下，「文献４」という。）には，図面と共に以下の事項が記載されている。
　(1) 公報第１ページ左下欄第８行から第２ページ左上欄第８行
「〔発明が解決しようとする課題〕
　しかしながら，従来の情報記録／再生装置においては，装置毎に，搭載されたピックアップに対して最適となるように動作特性を手動により調整するようにしているため，生産性が悪いという問題があると共に，ピックアップ等を交換した場合には，その都度再調整が必要となるため，保守性が悪いという問題がある。
　この発明は，このような従来の問題点に着目してなされたもので，生産性及び保守性を向上できるよう適切に構成した情報記録／再生装置を提供することを目的とする。
〔課題を解決するための手段及び作用〕
　上記目的を達成するため，この発明の情報記録／再生装置においては，ピックアップに記憶手段を設けて当該ピックアップの固有の特性データを記憶させ，この記憶手段に記憶された特性データに基づいて，設定手段により当該ピックアップに対して最適となるように動作特性を自動的に設定するようにする。」
　(2) 公報第２ページ左上欄第１７行から右上欄第８行
「ピックアップ２は，光記録媒体に対して情報の記録／再生を行う公知のピックアップと同様に構成するが，第１図では，記録または再生の光ビームを光記録媒体１上に収束させる対物レンズ４と，この対物レンズ４をトラッキング方向に駆動するためのトラッキングコイル５と，光記録媒体１からの反射光を受光して対物レンズ４のトラッキング方向の移動量（トラッキングエラー信号）を検出する光検出器６と，対物レンズ４の中立位置からのトラッキング方向の移動量を検出するための発光ダイオード(LED) ７，フラグ８及び光検出器９とを図示している。」
　(3) 公報第３ページ左上欄第１行から第１１行
「この実施例では，上述した問題を解決するため，ピックアップ２に記憶手段としてのEEPROM14を設けて当該ピックアップ２に固有の特性データを記憶させ，このEEPROM14に記憶された特性データをシーケンス制御回路13で読み取り，それに基づいてトラッキング調整回路15を介してトラッキングサーボ回路11の特性を当該ピックアップ２に対して最適となるように自動的に調整すると共に，フラグサーボ回路12の特性についても同様にフラグ調整回路16を介して当該ピックアップ２に対して最適となるように自動的に調整する。」
　(4) 公報第５ページ左上欄第１０行から第１４行
「さらに，この発明はピックアップ周辺のサーボ回路に限らず，レーザダイオードの駆動回路における最適パワー値や，リード回路の２値化レベル等の調整にも有効に適用することができる。」
　
第５　対比及び判断
１　対比
　(1) 引用発明の「ディスク等の信号記録媒体」は本願発明の「ディスク」に相当する。
　そして，引用発明の「光ビーム」は本願の「光」に相当する。
　また，引用発明の「対物レンズ」は本願発明の「対物レンズ」に相当する。
　さらに，引用発明の「ディスクからの反射ビーム」は本願発明の「ディスクにより反射されて戻された前記」「光」に相当し，引用発明の「ディスクからの反射ビームを受光する」「４分割された各受光領域ａ，ｂ，ｃ，ｄ」を有する「光検出器１」は，本願発明の「前記ディスクにより反射されて戻された前記」「光を複数のセグメントにより構成される受光領域を備える光検出器」に相当する。
　よって，引用発明と本願発明は，光を対物レンズに導き，前記対物レンズにより前記光を収束させてディスクに照射すると共に，前記ディスクにより反射されて戻された前記光を複数のセグメントにより構成される受光領域を備える光検出器に導く構成の光ピックアップ装置を有する点で一致する。
　(2) 引用発明の「光検出器１」は「各受光出力Ｓａ，Ｓｂ，Ｓｃ，Ｓｄが発生される」ものであるから，少なくとも出力端子のようなものは有しているといえ，引用発明の「光検出器」と本願発明の「光検出器」は，前記光検出器に前記受光領域の各セグメントに対応した各受光出力を出力する各出力端子が設けられている点で一致する。
　(3) 引用発明の「アンプ」は本願発明の「アンプ」と共通するものである。
　さらに，引用発明の「第１加算出力（Ｓａ＋Ｓｃ）及び第２加算出力（Ｓｂ＋Ｓｄ）」は，「各受光出力Ｓａ，Ｓｂ，Ｓｃ，Ｓｄ」からなるものであるから，引用発明の「アンプ６及び７のゲインを調整して第１加算出力（Ｓａ＋Ｓｃ）及び第２加算出力（Ｓｂ＋Ｓｄ）のレベル調整を行」うことと，本願発明の「前記各アンプのゲインを変化させて及び／又は前記各アンプの入力または出力をアッテネータにより減衰させて前記各出力端子から出力される前記各受光出力を設定する」することは，アンプのゲインを変化させて受光出力を設定する点で一致する。
　よって，引用発明と本願発明は，アンプのゲインを変化させて受光出力を設定する出力設定回路を有する点で一致する。
　(4) 引用発明の「受光スポットの位置ズレ」は本願発明の「前記受光領域に投影される受光スポットの位置」に相当する。
　そして，引用発明の「フォーカスエラー信号（ＦＥ信号）」は「（Ｓａ＋Ｓｃ）−（Ｓｂ＋Ｓｄ）の演算」であるから，引用発明の「フォーカスエラー信号」は「第１加算出力」と「第２加算出力」の出力差である。
　すると，引用発明の「前記アンプ６及び７のゲイン調整により，４分割の受光領域に対する受光スポットの位置ズレによって受光出力が増減される各受光領域に対応して第１加算出力（Ｓａ＋Ｓｃ）及び第２加算出力（Ｓｂ＋Ｓｄ）が補償されるべく，実際の合焦状態において前記フォーカスエラー信号が「０」となるように補正されるようにする」ことと，本願発明の「前記受光領域に投影される受光スポットの位置に基づいて前記各出力端子からの前記各受光出力に生じる出力差に応じて前記出力設定回路により前記各出力端子からの前記各受光出力を補正する」ことは，前記受光領域に投影される受光スポットの位置に基づいて受光出力に生じる出力差に応じて前記出力設定回路により受光出力を補正する点で一致する。
　(5) 引用発明は「光ヘッド」の「受光出力」を制御する「光ヘッドのオフセット補正装置」であるから，引用発明と本願発明は「光ピックアップ装置における光検出器の受光出力制御装置」である点で一致する。
　
２　一致点及び相違点
　以上より，本願発明と引用発明は以下の点で一致する。
「光を対物レンズに導き，前記対物レンズにより前記光をディスクに照射すると共に，前記ディスクにより反射されて戻された前記光を複数のセグメントにより構成される受光領域を備える光検出器に導く構成の光ピックアップ装置を有し，
　前記光検出器に前記受光領域の各セグメントに対応した各受光出力を出力する各出力端子が設けられ，
　かつ，アンプのゲインを変化させて前記各出力端子から出力される前記受光出力を設定する出力設定回路を設け，
　前記受光領域に投影される受光スポットの位置に基づいて受光出力に生じる出力差に応じて前記出力設定回路により受光出力を補正する
ことを特徴とする光ピックアップ装置における光検出器の受光出力制御装置。」
　
　そして，以下の点で相違する。
　
相違点１　本願発明は「レーザ光源から出射されるレーザ光」を「対物レンズにより前記レーザ光を収束させてディスクに照射する」のに対し，引用発明は「レーザ光源」を有しているか不明であり，また，「対物レンズ」が「レーザ光を収束させ」ているか否か不明である点。
　
相違点２　本願発明は「光検出器に前記受光領域の各セグメントに対応して各アンプが設けられ」，該「アンプ」の「ゲインを変化」させるものであるのに対し，引用発明は「第１加算出力（Ｓａ＋Ｓｃ）及び第２加算出力（Ｓｂ＋Ｓｄ）」の「アンプ６及び７」のゲインを調整するものである点。
　
相違点３　本願発明は「光ピックアップ装置」に「メモリ回路」及び「出力設定回路」が設けられているのに対し，引用発明はメモリ回路を有しておらず，また，出力設定回路が光ヘッドに設けられているか否かは不明である点。
　
３　相違点についての判断
　(1) 相違点１について
　この出願前，光ピックアップの光源としてレーザを用いること，対物レンズによりレーザ光を収束させてディスクに照射することは，一般的なこと（文献４（摘記箇所「第４」４(2)及び４(4)参照。）等）であり，引用発明においてもレーザ光源が用いられ，対物レンズがレーザ光を収束させているということは，引用発明に接した当業者であれば，引用発明が記載された文献１に記載されているに等しいものと理解する程度のことにすぎず，相違点１は，実質的なものではない。
　(2) 相違点２について
　引用発明は，「各受光領域の各受光出力をそれぞれ加算した後の各加算出力レベルで調整するようにして回路構成の簡潔化を図って達成しているが，これに限らず，加算する前の各受光領域の各受光出力を個別にレベル調整することにより達成しても良い」というものであるから，引用発明のアンプ６及び７のゲインの調整を，各受光領域の各受光出力を個別にレベル調整するようにすることは，引用発明でも想定されていることであり，相違点２は，引用発明に基づいて当業者であれば適宜なし得る程度のことである。
　(3) 相違点３について
　文献２には，受光部の受光信号を処理する，受光素子の受光信号のゲイン変更が可能な電流電圧変換器を含む集積回路２２を光ピックアップ１０１に搭載することが記載されており（摘記箇所及び図２，図５参照。），引用発明において，文献２記載の技術を採用し，光ピックアップにゲイン調整等を行う回路を設けるようにすることは，当業者であれば容易になし得ることである。
　また，光ピックアップの製造時における調整値を格納するメモリを光ピックアップに設けることも，文献３（摘記箇所及び図３参照），文献４（摘記箇所「第４」４(1)及び(3)並びに第１図参照。）に記載されているように周知であり，引用発明にかかる周知技術を採用することも，当業者であれば適宜なし得ることである。
　(4) そして，引用発明に文献２記載の技術及び周知技術を採用することにより生じる効果も，当業者であれば予測できる程度のものにすぎない。
　
４　まとめ
　以上検討したように，本願発明は，引用発明並びに文献２記載の技術及び周知技術に基づいて，当業者であれば容易に発明をすることができたものであるから，特許法第２９条第２項の規定により特許を受けることができないものである。
　
第６　まとめ
　以上のように，本願発明は，引用発明並びに文献２記載の技術及び周知技術に基づいて，当業者であれば容易に発明をすることができたものであるから，特許法第２９条第２項の規定により特許を受けることができないものである。
　したがって，他の請求項について論及するまでもなく，この出願は原査定の理由により拒絶すべきものである。
　よって，結論のとおり審決する。